(57)【要約】【課題】            従来のプリント可能もしくはプリントが施されている織物体は、ポリエステル繊維糸と、ナイロン／ポリエステルの混紡糸とにより織られており、パイルの存在が無い一体物となっているため、タオルとしての実用性に乏しく、手触りや肌触りの面でも柔軟性に乏しいものとなっており、使用用途が限定されてしまうという点である。【解決手段】        表裏が各々独立した織組織で形成され、表裏のうち一方はパイルが形成されるパイル組織であり、他方は平織組織となっており、表裏いずれか一方の織組織の経糸が所定の間隔で他方の織組織に絡み込み表裏を一体化させてあることとし、前記したパイル組織のパイル糸には綿糸が用いられ、パイル組織及び平織組織のパイル緯糸にはポリエステルが用いられ、パイル組織及び平織組織の経糸はポリエステルが用いられていることとする。【選択図】          図１
2013249547.tif 000002
【特許請求の範囲】
【請求項１】
表裏が各々独立した織組織で形成され、表裏のうち一方はパイルが形成されるパイル組織であり、他方は平織組織となっており、表裏いずれか一方の織組織の経糸が所定の間隔で他方の織組織に絡み込み表裏を一体化させてあることを特徴とする織物体。
【請求項２】
前記したパイル組織のパイル糸には綿糸が用いられ、パイル組織及び平織組織のパイル緯糸にはポリエステルが用いられ、パイル組織及び平織組織の経糸はポリエステルが用いられていることを特徴とする請求項１に記載の織物体。
【請求項３】
前記した平織組織は緯糸としてポリエステルが用いられていることを特徴とする請求項１または２に記載の織物体。
【請求項４】
前記したポリエステルはマイクロファイバーであることを特徴とする請求項２または３に記載の織物体。
【請求項５】
前記した平織組織面に熱転写によるプリントが施されていることを特徴とする請求項１から４のうち１つに記載の織物体。
【請求項６】
前記したプリントには昇華性インクが使用されていることを特徴とする請求項５に記載の織物体。
【発明の詳細な説明】
【技術分野】
【０００１】
本発明は織物体に関し、特に片面はパイル組織として種々のタオルとしての用途に使用できるものとしながら、他面には熱転写によるプリントを可能としてある織物体に関する。
【背景技術】
【０００２】
少なくとも一方面にプリントする織物体として、特許文献１として示す特許第４７６１３５４号公報に記載されたものが知られている。この特許文献１における物は、意匠タオルと称されているが、実際的には両面にパイルを表出させることのない織り方をしているもので、タオルとして機能する吸水性、拭い性を通例のタオルと同様には保有し得ないものとなっている。
【０００３】
また、この特許文献１における物は、原料としてポリエステル繊維糸と、ナイロン／ポリエステルの比率の限定された混紡糸で織られ、緯糸であるポリエステル繊維糸と、混紡糸を複数本の経糸ごとに交互に逆転交差させて、プリントを施そうとする面に占めるポリエステル繊維糸の面積率を７０％以上、反対面の混紡糸の面積率が７０％とした構成としている。
【０００４】
しかしながら、この特許文献１として示す発明では、両面にパイルが無く、使用される糸も化学繊維を用いてあるため、タオルとしての使用にはその機能性、特性に乏しく、また、感触としても柔軟性に欠けるものとなっている。
【先行技術文献】
【特許文献】
【０００５】
【特許文献１】特許第４７６１３５４号公報
【発明の概要】
【発明が解決しようとする課題】
【０００６】
従来のプリント可能もしくはプリントが施されている織物体は、ポリエステル繊維糸と、ナイロン／ポリエステルの混紡糸とにより織られており、パイルの存在が無い一体物となっているため、タオルとしての実用性に乏しく、手触りや肌触りの面でも柔軟性に乏しいものとなっており、使用用途が限定されてしまうという点である。
【課題を解決するための手段】
【０００７】
上記した問題点を解決するために、本発明に係る織物体は、表裏が各々独立した織組織で形成され、表裏のうち一方はパイルが形成されるパイル組織であり、他方は平織組織となっており、表裏いずれか一方の織組織の経糸が所定の間隔で他方の織組織に絡み込み表裏を一体化させてあることを特徴としている。
【０００８】
また、本発明に係る織物体は、前記したパイル組織のパイル糸には綿糸が用いられ、パイル組織及び平織組織のパイル緯糸にはポリエステルが用いられ、パイル組織及び平織組織の経糸はポリエステルが用いられていることを特徴とし、前記した平織組織は緯糸としてポリエステルが用いられていることを特徴とし、前記したポリエステルはマイクロファイバーであることを特徴としている。
【０００９】
さらに、本発明に係る織物体は、前記した平織組織面に熱転写によるプリントが施されていることを特徴とし、前記したプリントには昇華性インクが使用されていることを特徴としている。
【発明の効果】
【００１０】
本発明に係る織物体は上記のように構成されている。そのため、本発明に係る織物体はパイル組織と平織組織が重合されて一体化された構成とされ、パイル糸には綿糸が用いられているので、通例のタオルと同様の機能、特性を有し、感触も柔軟性を保有することができ、平織組織の表面には熱転写、特に昇華インクを用いてのプリントが可能となるものである。
【００１１】
そのため、本発明に係る織物体は、タオルとして種々の用途に応用できるほか、各種イベントの記念品や、販促品としても効用を有し、タペストリーのように、壁をはじめとする室内装飾品としても好適なものとなる。加えて、吸水性、乾燥性に優れ、洗濯にも耐え、型崩れもないものとなる。
【図面の簡単な説明】
【００１２】
【図１】本発明を実施した織物体の概略断面図である。
【図２】組織図である。
【図３】糸の絡みを示す拡大断面図である。
【図４】第二実施例の組織図である。
【図５】糸の絡みを示す拡大断面図である。
【図６】第三実施例の組織図である。
【発明を実施するための形態】
【００１３】
図面として示し、実施例で説明したように構成したことで実現した。
【実施例１】
【００１４】
次に、本発明の好ましい第一の実施例を図１乃至図３を参照して説明する。まず、図1は第一の実施例に係る織物体を示す概略断面図であり、図中１はこの織物体の表裏のうち一方に設けられるパイル組織を示している。このパイル組織１のパイル緯糸及び経糸にはマイクロファイバーとしたポリエステルが用いられ、パイル２を形成するパイル糸には綿糸が用いられている。
【００１５】
また、図中３は前記パイル組織１と後述のように一体化され、織物体として表裏の一方、即ち、前記したパイル組織１を表面とした場合、裏面となる平織組織を示している。この平織組織３は、緯糸及び経糸ともにポリエステルが使用され、特に、緯糸としてはマイクロファイバーとしたポリエステルが用いられている。
【００１６】
使用される糸の太さＤ（デニール）は、作成する織物体の使用目的に応じて適宜に選定される。薄地の場合は細番手を用い、厚地の場合には太番手の糸が使用される。また、一方面を特に強調したい場合、該面を太番手とし、他面を細番手とすることもできる。通常はパイル組織１としては４０／１〜１０／１番手、４０／２〜３０／２番手の糸を使用し、平織組織３としては４０／２番手のフィラメントのマイクロファイバー、１５０〜３００Ｄの糸を用いる。
【００１７】
パイル組織１と平織組織３は、いずれか一方の経糸を所定の間隔で、他方の織組織の緯糸に絡み込んで一体化している。この絡み込んでの一体化は後述する。
【００１８】
また、図中２、図３にはこの第一の実施例の織組織が示されている。この織組織は５ピックで構成されており、経密度を粗目とし、比較的厚地でラフな風合いの織物体とする場合に適している。パイル用地経糸がＧ１、Ｇ２，Ｇ４、Ｇ５の２本となっているのでパイル２のスリップ（抜け）を少なくすることができる。
【実施例２】
【００１９】
次に、図４、図５を参照して本発明の第二の実施例を説明する。この第二の実施例の場合も５ピックで織組織が構成されている。この第二の実施例における織組織は、経密度が細かく、細番手の糸を使用して、肌理の細かい物、繊細な風合いの織物体を織る場合に適している。尚、この織組織は、細番手の糸に限らず、太番手の糸を使用して、肌理の細かい織物体を織ることもできる。
【００２０】
前記した第一の実施例及びこの第二の実施例は、共に、パイル組織１と平織組織３とを、緯糸５本を使って同時に織る方式となっている。また、この方式では、平織組織３の地経糸が所定の間隔でパイル組織１に絡み込まれており、両者を一体化している。つまり、パイル組織１と平織組織３は各々独立した組織でありながら一体物として製作されている。さらに、この第一及び第二の実施例にあっては平織組織３の緯糸の間隔バランスも良好なものとなっている。
【実施例３】
【００２１】
続いて、図６を参照して本発明の第三の実施例を説明する。この第三の実施例は５ピックができない場合に採用されるもので、まず、３ピックでパイル組織１を織り、次いで３ピックの地織りで平織組織３を織る方式となっている。このため、緯密度が粗目の場合や、細番手の糸で薄地のものを織った場合、５ピックのものに比べて横段が表出し易くなる難点がある。
【００２２】
また、第一から第三の実施例にあって、平織組織３の表面には熱転写によるプリント部４が形成されている。このプリント部４の形成は、昇華性インクを用いて紙もしくはプラスチックフィルムにインクジェット方式でプリントを行ない、前記した紙もしくはプラスチックフィルムのプリント面を平織組織３の表面に熱転写することにより行われる。
【００２３】
この作業によって、平織組織３を構成するマイクロファイバーによるポリエステル糸の分子内に気化されたインクが侵入し、そのインクを閉じ込めてしまう結果が得られ、自在に文字、記号、図柄等を鮮明に表出させてやることができる。
【産業上の利用可能性】
【００２４】
本実施例に係る織物体は上記のように構成されている。本発明の実施例はこれらの実施例に限定されるものではなく、本発明の特許請求の範囲の記載に該当するものはすべて変形実施可能であり、糸の太さや組織構成については自由に選択できる。
【符号の説明】
【００２５】
１    パイル組織
２    パイル
３    平織組織
４    プリント部
【図１】
2013249547.tif 000003
【図２】
2013249547.tif 000004
【図３】
2013249547.tif 000005
【図４】
2013249547.tif 000006
【図５】
2013249547.tif 000007
【図６】
2013249547.tif 000008